(57)【特許請求の範囲】
【請求項１】
感染原因を検出した感染情報を取得する検出手段と、
ユーザのスケジュールデータを記憶する記憶手段と、
前記検出手段により感染原因が検出されると、前記記憶手段に記憶されているスケジュールデータを確認し、
前記検出手段が感染原因を検出してから所定期間を含むスケジュールデータが前記記憶手段に存在すれば、前記スケジュールデータを前記所定期間以降のスケジュールとするように調整する調整手段と、
を備える感染拡大防止システム。
【請求項２】
前記記憶手段は少なくとも第１のユーザと第２のユーザの現在時刻から所定期間のスケジュールを記憶し、
前記調整手段は、前記検出手段により感染原因が検出されると前記記憶手段に記憶されているスケジュールデータを確認し、
前記検出手段が前記第１のユーザから感染原因を検出した際に、前記記憶手段に前記第１のユーザとは異なる前記第２のユーザのスケジュールデータが存在すれば、
前記第２のユーザのスケジュールデータを、前記所定期間以降のスケジュールとするように調整する、請求項１記載の感染拡大防止システム。
【請求項３】
前記検出手段が前記第１のユーザから感染原因を検出した際に、前記記憶手段に、前記第１のユーザとは異なる前記第２のユーザのスケジュールデータが存在し、且つ、前記第１のユーザと前記第２のユーザとが同じ空間内に存在している、又は存在する予定の場合には、
前記調整手段は、前記第２のユーザのスケジュールデータを、前記所定期間以降のスケジュールとするように調整する、
請求項２に記載の感染拡大防止システム。
【請求項４】
前記検出手段が検出した感染原因が、前記第１のユーザの回復後の感染期間において、関係するスケジュールを持つ前記第２のユーザが既に免疫を有する感染原因であれば、
前記調整手段はスケジュール変更を行わない請求項２または３に記載の感染拡大防止シ
ステム。
【請求項５】
同じ空間内にいる前記第２のユーザの所定期間内のスケジュールが、移動を伴うスケジュールの場合であり、
更に、前記第２のユーザが、前記検出手段で検出された感染原因に対する免疫を有さないユーザであり、且つ、前記第２のユーザのスケジュールが、前記第１のユーザと同じ時刻に同じ場所を経由するスケジュールを有する場合には、
前記調整手段は前記第２のユーザの移動経路を変更するようにスケジュールを調整する請求項３に記載の感染拡大防止システム。
【請求項６】
前記調整手段によりスケジュールが調整されると、前記調整手段によりスケジュールが調整されたことを、前記第１のユーザ又は前記第２のユーザに通知する通知手段を有することを特徴とする請求項２〜５いずれか１項に記載の感染拡大防止システム。
【請求項７】
前記調整手段は、
前記検出手段により検出した感染原因に応じて、前記スケジュールデータを確認する前記所定期間の範囲を異ならせる、請求項１〜６のいずれか１項に記載の感染拡大防止システム。
【請求項８】
感染原因を検出した感染情報を取得する検出手段と、
前記検出手段により検出された感染原因の検出時刻、検出場所、ユーザの有する免疫、ユーザの存在した場所と期間を含むデータを記憶する記憶手段と、
前記ユーザが免疫を有さない感染原因が検出された場所を回避するように、前記ユーザのスケジュールデータを調整する調整手段と、を有する感染拡大防止システム。
【請求項９】
前記調整手段は、前記ユーザのスケジュールデータを調整する際に、前記ユーザが免疫を有さない感染原因が検出された場所に存在した履歴のある他のユーザが前記記憶手段に記憶されているか否かを判定し、存在する場合には、前記他のユーザが存在した場所を回避するようにスケジュールデータを調整する、請求項８に記載の感染拡大防止システム。
【請求項１０】
前記調整手段は、前記検出手段により検出した感染原因に応じて、他のユーザが前記記憶手段に記憶されているか否かを判定するスケジュールデータの期間を異ならせる、請求項８又は９のいずれか１項に記載の感染拡大防止システム。
【請求項１１】
前記調整手段は、スケジュールを調整する際に、ユーザが免疫を有さない感染原因が検出された場所を経由する時刻が、感染原因の検出時刻から所定の期間以降となるよう調整し、
前記所定の期間は、感染原因除去装置によって空間内の感染原因除去に要する期間に応じて変更する期間である、請求項８〜１０のいずれか１項に記載の感染拡大防止システム。
【請求項１２】
感染原因を検出した感染情報を検出手段で取得するステップと、
前記検出手段により感染原因が検出されると記憶手段に記憶されているユーザのスケジュールデータを調整手段で確認するステップと、
前記記憶手段に前記検出手段が感染原因を検出してから所定期間を含むスケジュールデータが存在すれば、前記スケジュールデータを前記所定期間以降のスケジュールとするように前記調整手段で調整するステップと、
からなる感染防止システムの制御方法。
【請求項１３】
感染原因を検出した感染情報を検出手段で取得するステップと、
前記検出手段により検出された感染原因の検出時刻、検出場所、ユーザの有する免疫、ユーザの存在した場所と期間を含むデータを記憶手段に記憶するステップと、
前記ユーザが免疫を有さない感染原因が検出された場所を回避するように調整手段で前記ユーザのスケジュールデータを調整するステップと、
からなる感染拡大防止システムの制御方法。
【請求項１４】
請求項１２又は１３の感染防止システムの制御方法をコンピュータに実行させるプログラム。
【発明の詳細な説明】
【技術分野】
【０００１】
本発明は、家庭内や公共空間等において感染原因の検出情報を用いた感染防止システム、感染防止システムの制御方法、およびそのプログラムに関するものである。
【背景技術】
【０００２】
近年、ＩｏＴ（Ｉｎｔｅｒｎｅｔ  ｏｆ  Ｔｈｉｎｇｓ、世の中に存在するあらゆるモノにセンシングデバイスが搭載され、インターネットに接続される世界）がスマートフォンの普及とビックデータ活用の波に乗って世界で大きく注目されている。
【０００３】
ＩＥＥＥ（Ｔｈｅ  ＩｎＳｔｉｔｕｔｅ  Ｏｆ  Ｅｌｅｃｔｒｉｃａｌ  ａｎｄ  Ｅｌｅｃｔｒｏｎｉｃｓ  Ｅｎｇｉｎｅｅｒｓ、Ｉｎｃ）やその他数々の研究機関や企業の予測では２０２０年迄に１，０００億個のモノとモノが相互接続した世界が実現するとされている。
【０００４】
また、センシング技術の進化として、近年、空気中のウイルスや個人が保有する口腔内のウイルスを高感度検出するウイルスセンシング技術が開発、研究されており、将来ＩｏＴ実現に伴い家庭内公共空間においてネットワーク接続された機器でのウイルスセンシングにより世界中の様々な場所におけるウイルス情報をリアルタイムに取得可能になると予測される。
【０００５】
このようなＩｏＴの普及、及び、ウイルスセンシング技術の進化にともない、将来センシングデータを活用したウイルスなど感染症の感染防止に関するシステムや技術が求められると考えられる。
【０００６】
特に、免疫力の低い乳幼児、妊婦、高齢者などは感染症に感染しやすく感染時に体に及ぼす影響が大きいため感染防止の必要性が高い。
【０００７】
また、新型インフルエンザなど感染力の高いウイルスは社会全体としての感染防止対策がより一層必要となると考えられる。
【０００８】
又、体調変化を検出し、健康維持をサポートするシステムに関する技術も公開特許公報で開示されており、例えば特許文献１には、体調悪化を検出して、スケジュールを変更する技術が開示されている。
【先行技術文献】
【特許文献】
【０００９】
【特許文献１】特開平１０−１９８６３９号公報
【発明の概要】
【発明が解決しようとする課題】
【００１０】
しかしながら、引用文献１に記載の技術は自身の体調悪化時における安静を目的としたものであり感染を防止するものとは異なる。
【００１１】
すなわち、体調悪化前の検出及びスケジュール変更は行わず、感染症の発症前の潜伏期間に事前予測し他人への感染を防ぐことができない。
【００１２】
また、自身へ感染しうる感染症の検出情報の取得およびスケジュール変更は行わず、従って、他人から自身への感染を防ぐことができない。
【００１３】
例えば、感染してから体調が悪くなるまで潜伏期間があり、そのあいだに他人へ感染させる可能性がある。また、感染しても本人は体調が悪くならないが他人に感染させる場合がある。
【００１４】
以上のように体調変化を検出する方法は感染を防止することは難しく、感染症の発症前の潜伏期間に事前予測し他人への感染を防ぐ必要がある。また、自身へ感染しうる感染症の検出情報を取得し他人から自身への感染を防ぐ必要がある。
【００１５】
本発明は、前記従来の課題を解決するもので、感染原因の検出情報によって自身から他人への感染を防止すること目的とした技術である。
【００１６】
また、免疫情報に基づく自身が感染しうる感染症の検出情報を用いてスケジュールや経路変更を行うことで他人から自身への感染を防ぐことができるような感染防止システムを提供することを目的とする。
【課題を解決するための手段】
【００１７】
前記従来の課題を解決するために、本発明の感染防止システムは、感染原因を検出した感染情報を取得する検出手段と、ユーザのスケジュールデータを記憶する記憶手段と、検出手段により感染原因が検出されると記憶手段に記憶されているスケジュールデータを確認し、検出手段が感染原因を検出してから所定期間を含むスケジュールデータが記憶手段に存在すればスケジュールデータを所定期間以降のスケジュールとするように調整する調整手段とを備えるものである。
【００１８】
これにより、感染原因の検出により事前に感染リスクを予測しスケジュール変更を行うことで感染拡大を防止することが可能となる。
【発明の効果】
【００１９】
本発明の感染防止システムは、感染原因の検出により事前に感染リスクを予測しスケジュール変更を行うことで感染拡大を防止することができる。例えば、発症前の潜伏期間から回復後の感染させる期間までの感染情報を用いて、所定期間のスケジュールや経路変更を行うことで、自身や他人への感染を防ぐことができる。
【図面の簡単な説明】
【００２０】
【図１】本発明の実施の形態１における感染防止システムの構成の一例を示す図
【図２】本発明の実施の形態１におけるウイルス情報と免疫情報、及び、ウイルスごとの期間情報の一例を示す図
【図３】発明の実施の形態１におけるスケジュール情報の一例を示す図
【図４】実施の形態１の感染防止システムの処理の一例を示すフローチャート
【図５】本発明の実施の形態２における感染防止システムの構成の一例を示す図
【図６】実施の形態２の感染防止システムの処理の一例を示すフローチャート
【発明を実施するための形態】
【００２１】
第１の発明は、感染原因を検出した感染情報を取得する検出手段と、ユーザのスケジュールデータを記憶する記憶手段と、検出手段により感染原因が検出されると記憶手段に記憶されているスケジュールデータを確認し、検出手段が感染原因を検出してから所定期間を含むスケジュールデータが記憶手段に存在すれば、スケジュールデータを所定期間以降のスケジュールとするように調整する調整手段とを備える感染防止システムである。
【００２２】
これにより、感染原因の検出により事前に感染リスクを予測しスケジュール変更を行うことで感染拡大を防止することができる。
【００２３】
第２の発明は、第１の発明において、記憶手段は少なくとも第１のユーザと第２のユーザの現在時刻から所定期間のスケジュールを記憶し、調整手段は、検出手段により感染原因が検出されると記憶手段に記憶されているスケジュールデータを確認し、検出手段が第１のユーザから感染原因を検出した際に、記憶手段に第１のユーザとは異なる第２のユーザのスケジュールデータが存在すれば、第２のユーザのスケジュールデータを、所定期間以降のスケジュールとするように調整する、感染拡大防止システムである。
【００２４】
これにより、第２のユーザのスケジュール変更を行うことで感染拡大を防止することができる。
【００２５】
第３の発明は、第２の発明において、検出手段が第１のユーザから感染原因を検出した際に、記憶手段に、第１のユーザとは異なる第２のユーザのスケジュールデータが存在し、且つ、第１のユーザと第２のユーザとが同じ空間内に存在している、又は存在する予定の場合には、調整手段は、第２のユーザのスケジュールデータを、所定期間以降のスケジュールとするように調整する、感染拡大防止システムである。
【００２６】
これにより、第１のユーザと同じ空間内に存在している、又は存在する予定の第２のユーザのスケジュール変更を行うことで感染拡大を防止することができる。
【００２７】
第４の発明は、第１〜第３の発明において、調整手段は、検出手段により検出した感染原因に応じて、スケジュールデータを確認する所定期間の範囲を異ならせる、感染拡大防止システムである。
【００２８】
これにより、感染原因に応じたスケジュール変更を行うことができる。
【００２９】
第５の発明は、第２〜第４の発明において、検出手段が検出した感染原因が、第１のユーザの回復後の感染期間において、関係するスケジュールを持つ第２のユーザが既に免疫を有する感染原因であれば、調整手段はスケジュール変更を行わない感染拡大防止システムである。
【００３０】
これにより、感染原因に対して免疫を有するか否かに応じたスケジュール変更を行うことができる。
【００３１】
第６の発明は、第３の発明において、同じ空間内にいる第２のユーザの所定期間内のスケジュールが、移動を伴うスケジュールの場合であり、更に、第２のユーザが、検出手段で検出された感染原因に対する免疫を有さないユーザであり、且つ、第２のユーザのスケジュールが、第１のユーザと同じ時刻に同じ場所を経由するスケジュールを有する場合には、調整手段は第２のユーザの移動経路を変更するようにスケジュールを調整する感染拡大防止システムである。
【００３２】
これにより、ユーザの移動を考慮したスケジュール変更を行うことができる。
【００３３】
第７の発明は、第２〜第６の発明において、調整手段によりスケジュールが調整されると、調整手段によりスケジュールが調整されたことを、第１のユーザ又は第２のユーザに通知する通知手段を有する感染拡大防止システムである。
【００３４】
これにより、第１、第２のユーザにスケジュール変更の通知を行うことで感染拡大を防止することができる。
【００３５】
第８の発明は、感染原因を検出した感染情報を取得する検出手段と、検出手段により検出された感染原因の検出時刻、検出場所、ユーザの有する免疫、ユーザの存在した場所と期間を含むデータを記憶する記憶手段と、ユーザが免疫を有さない感染原因が検出された場所を回避するように、ユーザのスケジュールデータを調整する調整手段と、を有する感染拡大防止システムである。
【００３６】
これにより、免疫情報に基づきユーザが感染しうる感染情報を用いて、スケジュール変更を行うことで感染を防ぐことができる。
【００３７】
第９の発明は、第８の発明において、調整手段は、ユーザのスケジュールデータを調整する際に、ユーザが免疫を有さない感染原因が検出された場所に存在した履歴のある他のユーザが記憶手段に記憶されているか否かを判定し、存在する場合には、他のユーザが存在した場所を回避するようにスケジュールデータを調整する感染拡大防止システムである。
【００３８】
これにより、感染原因の検出された場所に存在したユーザを考慮してスケジュール変更を行うことができる。
【００３９】
第１０の発明は、第８又は第９の発明において、調整手段は、検出手段により検出した感染原因に応じて、他のユーザが記憶手段に記憶されているか否かを判定するスケジュールデータの期間を異ならせる感染拡大防止システムである。
【００４０】
これにより、感染原因に応じたスケジュール変更を行うことができる。
【００４１】
第１１の発明は、第８〜第１０の発明において、調整手段は、スケジュールを調整する際に、ユーザが免疫を有さない感染原因が検出された場所を経由する時刻が、感染原因の検出時刻から所定の期間以降となるよう調整し、所定の期間は、感染原因除去装置によって空間内の感染原因除去に要する期間に応じて変更する期間である感染拡大防止システムである。
【００４２】
これにより、感染原因の除去時間を考慮してスケジュール変更を行うことができる。
【００４３】
第１２の発明は、感染原因を検出した感染情報を検出手段で取得するステップと、検出手段により感染原因が検出されると記憶手段に記憶されているユーザのスケジュールデータを調整手段で確認するステップと、検出手段が感染原因を検出してから所定期間を含むスケジュールデータが記憶手段に存在すれば、スケジュールデータを所定期間以降のスケジュールとするように調整手段で調整するステップと、からなる感染防止システムの制御方法である。
【００４４】
これにより、感染原因の検出により事前に感染リスクを予測しスケジュール変更を行うことで感染拡大を防止することができる。
【００４５】
第１３の発明は、感染原因を検出した感染情報を検出手段で取得するステップと、検出手段により検出された感染原因の検出時刻、検出場所、ユーザの有する免疫、ユーザの存在した場所と期間を含むデータを記憶手段に記憶するステップと、ユーザが免疫を有さない感染原因が検出された場所を回避するように調整手段でユーザのスケジュールデータを調整するステップと、からなる感染拡大防止システムの制御方法である。
【００４６】
これにより、免疫情報に基づいてユーザが感染しうる感染情報を用いて、スケジュール変更を行うことで感染を防ぐことができる。
【００４７】
第１４の発明は、第１２又は第１３の発明の感染防止システムの制御方法をコンピュータに実行させるプログラムである。
【００４８】
これによりコンピュータを用いて感染防止システムを実現できる。
【００４９】
以下、本発明の実施の形態について、図面を参照しながら説明する。尚、説明に使用する図面は本発明が採用しうる技術的特徴を説明するために用いられるものであり、記載されている装置の構成、及び処理等は単なる一例を示したにすぎない。
【００５０】
したがって、限定することを意図する記載が特段ない限り装置の構成及び処理は、記載された内容に限定されるものではなくこの実施の形態によって本発明が限定されるものではない。
【００５１】
（実施の形態１）
図１は、本発明の実施の形態１における感染防止システムの構成の一例を示す図を示すものである。
【００５２】
尚、感染症としてウイルスで説明するがこれに限らず、寄生虫、細菌、真菌などの病原体であってもよい。
【００５３】
図１において、本実施の形態の感染防止システムは、センシング部１０１、スケジュール取得部１０２、ウイルス情報管理部１０３、スケジュール管理部１０４、感染リスク判定部１０５、スケジュール調整部１０６、入出力(ＵＩ)部１０７から構成される。
【００５４】
センシング部１０１は、家庭内や公共空間においてインターネット等に接続された機器に搭載されたセンサーを用いて、空気中のウイルス情報、個人が保有するウイルス情報、及び、個人の免疫情報を取得する。またその空間に存在するユーザを把握する。
【００５５】
ここで、センサーは、インターネット接続された機器に直接搭載されていてもよいし、インターネット接続された機器とＵＳＢ（ＵｎｉｖｅｒＳａｌ  Ｓｅｒｉａｌ  ＢｕＳ）等の有線ケーブルや記憶媒体を介してセンシング情報を取得できる別の機器に搭載される構成であっても実施可能である。
【００５６】
センサーの種類は、空気中のウイルスを検出するウイルスセンサ、個人の口腔中及び鼻汁中のウイルスを検出するウイルスセンサ、血液中の免疫を検出する免疫センサなどである。より具体的には、例えば、発光素子から光を放射させ、受光素子が受光した光の反射率、波長の変化等によりウイルスを検出する光学式センサー等により実現可能である。
【００５７】
尚、センシング部１０１はセンサーを備える構成は必須ではなく、センシング情報を他の機器から取得する形態でもよい。
【００５８】
インターネット接続された機器は、例えば、空気清浄機、エアコン、携帯端末、情報機器、サーバなどである。
【００５９】
ここで、センシング部１０１は、センサーを用いるだけでなく利用者が入出力（ＵＩ）部１０７にて入力した情報からウイルス情報及び免疫情報を取得しても実施可能である。
例えば、ある利用者がはしかの予防接種を受けた際にはしかの免疫を有するとの情報を医療機関で入力し、この情報を免疫情報として取得してもよい。
【００６０】
スケジュール取得部１０２は、個人のスケジュール情報や生活の基盤となる施設（以下、インフラと呼ぶ）のスケジュール情報を取得する。
【００６１】
例えば、無線や有線等のネットワークを介して外部からスケジュール情報等を取得する構成としても良いし、或いは、端末のタッチパネル等の入力手段からスケジュール情報等を取得する構成としても良い。
【００６２】
個人のスケジュール情報やインフラのスケジュール情報の詳細については後述するスケジュール管理部１０４の説明にて記載する。
【００６３】
ウイルス情報管理部１０３は、センシング部１０１が取得したウイルス情報、免疫情報、ウイルスごとの期間情報を管理する。
【００６４】
図１のウイルス情報記憶部１３１、免疫情報記憶部１３２、ウイルスごとの期間情報記憶部１３３は、ウイルス情報管理部１０３が管理するウイルス情報と免疫情報、及び、ウイルスごとの期間情報を記憶する。
【００６５】
ウイルス情報記憶部１３１は、例えば、空間におけるウイルス情報と個人が保有するウイルス情報とを記憶する。
【００６６】
空間におけるウイルス情報には、例えば、ウイルスの検出日時、検出場所、検出したウイルスの種類、ウイルスを検出した空間における滞在者の情報を有する。
【００６７】
個人が保有するウイルス情報には、例えば、ウイルスを保有した日時、保有しているウイルスの種類の情報を有する。
【００６８】
ここで、ウイルスを保有する状態とは、（ａ）本人が免疫を有しており本人の発病可能性はないがウイルスを他人に感染させる可能性がある状態、又は（ｂ）本人が免疫を有しておらず、本人が発病する前の潜伏期間、すでに発病している発症期間、症状が回復したあとの他人に感染させる期間、におけるウイルス保有している状態であり他人に感染させる可能性がある状態をさす。
【００６９】
図２（ａ）と図２（ｂ）にウイルス情報記憶部１３１が記憶するウイルス情報の一例を示す。
【００７０】
免疫情報記憶部１３２は、例えば、個人が保有する免疫情報、すなわちウイルスに対する抗体情報を記憶する。
【００７１】
図２（ｃ）に免疫情報記憶部１３２が記憶する免疫情報の一例を示す。
【００７２】
ウイルスごとの期間情報記憶部１３３は、例えば、ウイルスの種類毎に、潜伏期間、発症期間、回復後の感染させる期間、の情報を記憶する。
【００７３】
図２（ｄ）にウイルスごとの期間情報記憶部１３３が有するウイルス毎の基幹情報の一例を示す。
【００７４】
図２（ａ）において、空間におけるウイルス情報の例として、検出日時と検出場所、検
出したウイルスの種類、滞在者が誰であるか、といった情報が関連付けられている。
【００７５】
また、図２（ｂ）において、個人が保有するウイルス情報の例として、ユーザを識別するための情報である個人識別情報、ウイルスを保有した日時、保有したウイルスの種類、が関連付けられている。
【００７６】
また、図２（ｃ）において、免疫情報の例として、ユーザを識別するための情報である個人識別情報、個人が保有する免疫の情報、が関連付けられている。
【００７７】
また、図２（ｄ）において、期間情報の例として、ウイルスの種類、潜伏期間、発症期間、回復後に他人に感染する可能性のある期間、が関連付けられている。
【００７８】
尚、図１において、センシング部１０１は、例えば、携帯端末のような電子機器やセンサー単体であり、スケジュール取得部１０２は、例えば、携帯端末のような電子機器である。
【００７９】
ウイルス情報管理部１０３、スケジュール管理部１０４、感染リスク判定部１０５、スケジュール調整部１０６、ウイルス情報記憶部１３１、免疫情報記憶部１３２、ウイルスごとの期間情報記憶部１３３、スケジュール情報記憶部１４１は、センシング部１０１とスケジュール取得部１０２に有線や無線等のネットワークで接続さればサーバ等で構成しても良い。
【００８０】
或いは、センシング部１０１から入出力（ＵＩ）部１０７までを１つの携帯端末等の電子機器内で構成しても良い。
【００８１】
スケジュール管理部１０４は、スケジュール取得部１０２が取得したスケジュール情報を管理する。
【００８２】
スケジュール情報記憶部１４１は、スケジュール管理部１０４が管理するスケジュール情報を記憶する。
【００８３】
スケジュール情報記憶部１４１は、個人のスケジュール情報、インフラのスケジュール情報を少なくとも記憶する。
【００８４】
図３は、スケジュール管理部１０４が有するスケジュール情報の具体例の一つを示す図である。
【００８５】
図３に示すように、個人のスケジュール情報としては、例えば、個人識別情報、日時、場所、移動経路に関するスケジュール情報があり、これらは関連付けられて記憶されている。
【００８６】
個人のスケジュール情報は、日時、場所、移動経路に関するスケジュール情報を保持する。個人のスケジュール情報の例としては、例えば、会社員の場合、会議を予定している日時・場所の情報や出張を予定している日時、フライト時刻、宿泊先の情報などである。
【００８７】
インフラとは、イベント会場などの公共施設、鉄道、飛行機などの公共交通機関、宿泊施設などであり、インフラのスケジュール情報はこれらの利用可能日時に関するスケジュール情報を保持する。
【００８８】
図３（ａ）と図３（ｂ）に、スケジュール情報記憶部１４１が記憶するスケジュール情
報の一例を示す。
【００８９】
感染リスク判定部１０５は、ウイルス情報管理部１０３が管理するウイルス情報と免疫情報を参照して検出されたウイルスに対して、個人が感染する可能性があるか否かを判定する。
【００９０】
例えば、図２（ａ）に示すように、２０１５年７月１日２０時に場所Ａにておたふく風邪のウイルスを検出した際に、ユーザ００２のおたふく風邪に対する感染リスクを判定する。
【００９１】
感染リスク判定部１０５は、図２（ｃ）の免疫情報を参照してユーザ００２はおたふく風邪に対する免疫を有するため、場所Ａに行っても感染する可能性が無いと判定する。
【００９２】
スケジュール調整部１０６は、センシング部１０１によりウイルスが検出されるとウイルス情報管理部１０３が管理するウイルス情報を参照して、該当のウイルスを検出した空間における滞在者の現在時刻から所定期間内のスケジュールデータ、又は、該当のウイルスを保有する個人の現在時刻から所定期間内のスケジュールデータを確認する確認手段（図示しない）を備える。また、現在時刻から所定期間内のスケジュールデータが存在すれば、スケジュールデータが所定期間以降となるように新たなスケジュールデータを調整して出力する調整手段（図示しない）を有する。
【００９３】
所定の期間は、ウイルスを他人に感染させうる期間或いは他人から感染しうる期間であって、ウイルス情報管理部１０３が管理するウイルスごとの期間情報を参照して該当のウイルス種の潜伏期間、発症期間、回復後の感染させる期間に応じて変更する期間である。
【００９４】
また、所定の期間は、空気清浄機などに搭載するウイルス除去装置を用いて空間内のウイルスを除去する場合等には、さらに、ウイルス除去に有する期間に応じて変更する期間である。
【００９５】
スケジュール調整部１０６は、感染リスク判定部１０５の判定結果に基づき所定の期間内のスケジュールデータが存在する場合であっても関係するスケジュールデータを有する別の人が該当のウイルスに対する免疫を有する場合には、回復後の感染させる期間において新たなスケジュールデータへの変更は行わない。
【００９６】
ここで、スケジュール調整部１０６の新たなスケジュールデータの作成について、より具体的に説明する。
【００９７】
（１）ウイルスを検出した現在時刻から所定期間内において、ウイルスを検出した空間における滞在者のスケジュールデータが存在するか否かを確認する。
【００９８】
（２）上記（１）でスケジュールデータが存在する場合、そのスケジュールと関係するスケジュールデータを有する別の人が存在するか否か、存在する場合はその別の人が該当のウイルスに対する免疫を有するか否かを確認する。
【００９９】
（３）上記（２）で別の人が該当のウイルスに対する免疫を有しない場合、滞在者及び別の人の現在時刻から所定期間以降のスケジュールデータ、及びインフラ（例えば会議室）のスケジュールデータを確認し、滞在者と別の人のスケジュールデータが存在しない、かつ、インフラが利用可能な時間帯に、滞在者と別の人の新たなスケジュールデータを作成する。
【０１００】
（４）変更する前の滞在者のスケジュールデータと、それと関連する別の人のスケジュールデータを削除する。
【０１０１】
発症期間においては、発症している本人の体調を考慮してスケジュール変更を行うが、潜伏期間や回復後の感染させる期間においては、本人の体調は良好であり免疫を保有する別の人への感染リスクもないため新たなスケジュールデータへの変更は行わない。
【０１０２】
さらに、スケジュール調整部１０６は、該当のウイルスを検出した空間における滞在者の現在時刻から所定期間内のスケジュールが移動を伴うスケジュールの場合には、該当のウイルスに対する免疫を有さない別人のスケジュールを確認し同じ時刻に同じ場所を経由するスケジュールを有する場合には移動経路を変更する。
【０１０３】
また、スケジュール調整部１０６は、ウイルスを検出した空間における滞在者とは別人のスケジュールデータにおいて、ウイルスを検出した空間における滞在者と関係するスケジュールデータについて、現在時刻から所定期間内のスケジュールデータが存在すれば、該当のスケジュールデータが所定期間以降となるように新たなスケジュールデータを出力する。
【０１０４】
また、スケジュール調整部１０６は、ウイルスを検出した空間における滞在者のスケジュールデータにおいて、現在時刻から所定期間内のスケジュールデータが存在すれば、該当のスケジュールデータが所定期間以降となるように新たなスケジュールデータを出力する。
【０１０５】
更に、ウイルスを検出した空間における滞在者とは別人のスケジュールデータにおいて、ウイルスを検出した空間における滞在者と関係するスケジュールデータについて現在時刻から所定期間内のスケジュールデータが存在すれば、その別人にスケジュールデータの変更を通知する。
【０１０６】
また、スケジュール調整部１０６は、ウイルスを検出した空間における滞在者とは別人のスケジュールデータにおいて、ウイルスを検出した空間における滞在者と関係するスケジュールデータについて、ウイルスを検出した空間における滞在者が参加しなくても実行可能であるスケジュールにおいて、新たなスケジュールデータへの変更は行わず、その別人にウイルスを検出した空間における滞在者が参加しないことを通知する。スケジュールの実行の可否に関しては、予め設定する参加必要性を示す指標によって判断する。また、メール等を用いて確認してもよい。
【０１０７】
また、スケジュール調整部１０６は、代替のインフラを自動的に確認・予約・手配しても良い。例えば会議等のスケジュールに対しては、インターネットを用いた会議システムの予約や、必要となる機器（カメラ、マイク、ケーブル）等の手配である。
【０１０８】
また、スケジュール調整部１０６は、ウイルスを検出した空間における滞在者の潜伏期間や回復後の感染させる期間が経過したことをウイルスを検出した空間における滞在者とは別人に通知してもよい。
【０１０９】
以下に、スケジュール調整部１０６の具体的な処理の一例を図２及び図３を参照して説明する。
【０１１０】
例えば、図２（ａ）に示すように、ウイルス情報において２０１５年７月１日２０時に場所Ａにておたふく風邪のウイルスが検出され、その空間内にユーザ００１が滞在していた場合を説明する。
【０１１１】
スケジュール調整部１０６は、図２（ｄ）に示すようにウイルスごとの期間情報において、潜伏期間の最大２０日と発症期間と回復後の感染させる期間の最大の合計１０日とを足し合わせた３０日間の期間を所定期間に設定する。
【０１１２】
図３（ａ）に示すように個人スケジュール情報において、ユーザ００１の２０１５年７月１日２０時から２０１５年７月３１日２０時までの３０日間のスケジュールを確認する。
【０１１３】
スケジュールが存在すれば、外出を７月３１日２０時以降としたり代理者に頼んだりテレビ会議での参加に切り替えるような新たなスケジュールデータをスケジュール管理部１０４に出力する。
【０１１４】
また、ここでスケジュール調整部１０６は、図３（ａ）に示すように個人スケジュール情報において、関係するスケジュールデータを有する別の人、具体的には、所定の期間内において場所Ｄに行くスケジュールを有する人を確認しその人の免疫情報を確認する。
【０１１５】
ユーザ００１が場所Ｄに行くときにおたふく風邪の免疫を有しない人が存在する場合は新たなスケジュールデータに変更する。場所Ｄのすべての人がおたふく風邪の免疫を有する場合には新たなスケジュールデータへの変更を行わない。
【０１１６】
場所Ｄでおたふく風邪の免疫を有しない人が存在しない場合に出力する新たなスケジュールは、例えば、具体的には、場所Ｄに行く日を２０１５年７月３１日２０時まで取り止め、それ以降の日時とする。
【０１１７】
ここで、新たなスケジュールデータの出力は、具体的には、元のスケジュールである「日時：２０１５年７月２日８時３０分、場所：場所Ｄ、移動経路：自家用車」を削除し、新たなスケジュールである「日時：２０１５年７月２日８時３０分、場所：場所Ｅ、移動経路：自家用車」へ変更しこれを出力する。２０１５年７月２日〜２０１５年７月３１日についても変更する。そして、２０１５年８月１日以降のスケジュールについては変更しない。
【０１１８】
また、例えば、図２（ａ）に示すようにウイルス情報において、２０１５年７月１０日１２時に場所Ｂにてアデノウイルスのウイルスが検出されその空間内にユーザ００２が滞在していた場合を説明する。
【０１１９】
スケジュール調整部１０６は、図２（ｄ）に示すようにウイルスごとの期間情報において、潜伏期間の最大７日と発症期間と回復後の感染させる期間の最大の合計１４日とを足し合わせた２１日間の期間を所定期間に設定する。
【０１２０】
図３（ａ）に示すように個人スケジュール情報において、ユーザ００２の２０１５年７月１０日１２時から２０１５年７月３１日１２時までの２１日間のスケジュールを確認する。
【０１２１】
スケジュールが存在すれば、７月３１日２０時以降としたり代理者に頼んだりテレビ会議に切り替えるような新たなスケジュールデータをスケジュール管理部１０４に出力する。
【０１２２】
また、ここでスケジュール調整部１０６は、図３（ａ）に示すように個人スケジュール情報において、関係するスケジュールデータを有する別の人の免疫情報を確認しその別の
人がアデノウイルスの免疫を有しない場合には、新たなスケジュールデータへの変更を行う。その別の人がすでにアデノウイルスの免疫を有する場合には、新たなスケジュールデータへの変更を行わない。
【０１２３】
具体的には、例えば、２０１５年７月１２日８時００分に場所Ｅでのスケジュールについては、その場所の人全員がアデノウイルスの免疫を有するためスケジュールの変更は行わない。
【０１２４】
一方、場所Ｅへの移動経路スケジュールについては、アデノウイルスの免疫を有さないユーザ００３と同じ時刻に同じ列車Ａを利用する移動経路スケジュールであるため新たな移動経路スケジュールへ変更を行う。
【０１２５】
具体的には、インフラのスケジュール情報図３（ｂ）を参照して別の列車又は自家用車に変更する。
【０１２６】
入出力(ＵＩ)部１０７は、感染防止システムの利用者が用いる端末上における入出力である。タッチパネルやキーボードなどである。
【０１２７】
尚、この入出力(ＵＩ)部１０７は、ウイルス情報管理部１０３〜スケジュール調整部１０６がサーバ内に構成されている実施形態では、サーバとインターネット等で接続された携帯端末等であっても良い。
【０１２８】
また、ウイルス情報管理部１０３〜スケジュール調整部１０６が例えば１つの携帯端末内に存在するブロックである場合には、入出力(ＵＩ)部１０７もウイルス情報管理部１０３〜スケジュール調整部１０６と同一の携帯端末内に構成されていても良い。
【０１２９】
携帯端末は、例えば、スマートフォン、タブレット、等であり、特に携帯端末に限らず、パソコン等の端末であっても構わない。
【０１３０】
入力は、例えば、利用者があるウイルスの予防接種を受けた際に個人の免疫情報を入力する方法や、医療機関において血液中の免疫検査を実施した際に医師が患者の同意の上で患者の免疫情報を入力する方法などがある。
【０１３１】
出力は、例えば、スケジュール調整部１０６が新たに作成したスケジュールデータの出力や、ウイルス情報管理部１０３が管理する空間におけるウイルス情報や、免疫情報に応じてウイルスに感染しにくい安全な移動経路を、例えば地図上に表示する方法等がある。
【０１３２】
以上の構成を用いた、本実施の形態１の感染防止システムは、ウイルス検出情報を用いて症前の潜伏期間から回復後の感染させる期間までの感染リスクを事前に判定し所定期間のスケジュール及び経路変更を行うことで、感染者から他人への感染を防ぐことができる。
【０１３３】
図４は、その処理の一例を示すフローチャートである。
【０１３４】
センシング部１０１が空間内のウイルスを検出すると（ステップＳ４０１）、スケジュール調整部１０６はウイルス情報管理部１０３が管理するウイルス情報を参照して、検出したウイルスの期間情報から所定期間を取得する。また該当のウイルスを検出した空間における滞在者の現在時刻から所定期間内のスケジュールデータを確認する（ステップＳ４０２）。
【０１３５】
現在時刻から所定期間内のスケジュールデータが存在する場合には（ステップＳ４０３）、感染リスク判定部１０５はウイルス情報管理部１０３が管理するウイルス情報を参照して、そのスケジュールデータに関係する別の人が該当のウイルスに対する免疫を有するか否かを判定する（ステップＳ４０４）。
【０１３６】
関係するスケジュールデータを有する別の人が、該当のウイルスに対する免疫を有しない場合には、スケジュール調整部１０６は所定期間内にあったスケジュールデータを所定期間以降となるように新たなスケジュールデータをスケジュール管理部１０４に出力する（ステップＳ４０５）。
【０１３７】
新たなスケジュールデータの出力の方法及び、具体的な例は、スケジュール調整部１０６の構成にて説明した通りである。
【０１３８】
一方、現在時刻から所定期間内のスケジュールデータが存在しなかったり、存在してもそのスケジュールデータに関係する別の人が該当のウイルスに対する免疫を有する場合には、スケジュール調整部１０６は新たなスケジュールデータの出力を行わず処理を終了する（ステップＳ４０６）。
【０１３９】
尚、上記図４に示したフローチャートの処理は一例であって、処理の詳細及びバリエーションは本実施の形態における感染防止システムの構成の説明にて記述したとおりである。
【０１４０】
以上、本実施の形態１により、ウイルス検出情報を用いて症前の潜伏期間から回復後の感染させる期間までの感染リスクを判定し所定期間のスケジュール及び経路変更を行うことで、感染者から他人への感染拡大を防ぐことができる。
【０１４１】
すなわち、感染原因を検出した感染情報を取得する検出手段（センシング部）と、ユーザのスケジュールデータを記憶する記憶手段（スケジュール情報記憶部）と、検出手段により感染原因が検出されると記憶手段に記憶されているスケジュールデータを確認し、検出手段が感染原因を検出してから所定期間を含むスケジュールデータが記憶手段に存在すれば、スケジュールデータを所定期間以降のスケジュールとするように調整する調整手段（スケジュール調整部）とを備える感染防止システムである。
【０１４２】
これにより、感染原因の検出により事前に感染リスクを予測しスケジュール変更を行うことで感染拡大を防止することができる。
【０１４３】
加えて、記憶手段は少なくとも第１のユーザ（本人）と第２のユーザ（他人）の現在時刻から所定期間のスケジュールを記憶し、調整手段は、検出手段により感染原因が検出されると記憶手段に記憶されているスケジュールデータを確認し、検出手段が第１のユーザから感染原因を検出した際に、記憶手段に第１のユーザとは異なる第２のユーザのスケジュールデータが存在すれば、第２のユーザのスケジュールデータを、所定期間以降のスケジュールとするように調整する、感染拡大防止システムである。
【０１４４】
これにより、第２のユーザについてスケジュール変更を行うことで感染拡大を防止することができる。
【０１４５】
加えて、検出手段が第１のユーザから感染原因を検出した際に、記憶手段に、第１のユーザとは異なる第２のユーザのスケジュールデータが存在し、且つ、第１のユーザと第２のユーザとが同じ空間内に存在している、又は存在する予定の場合には、調整手段は、第２のユーザのスケジュールデータを、所定期間以降のスケジュールとするように調整する
、感染拡大防止システムである。
【０１４６】
これにより、第１のユーザと同じ空間内に存在している、又は存在する予定の第２のユーザについてスケジュール変更を行うことで感染拡大を防止することができる。
【０１４７】
また、調整手段は、検出手段により検出した感染原因に応じて、スケジュールデータを確認する所定期間の範囲を異ならせる、感染拡大防止システムである。
【０１４８】
これにより、感染原因に応じたスケジュール変更を行うことができる。
【０１４９】
また、検出手段が検出した感染原因が、第１のユーザの回復後の感染期間において、関係するスケジュールを持つ第２のユーザが既に免疫を有する感染原因であれば、調整手段はスケジュール変更を行わない感染拡大防止システムである。
【０１５０】
これにより、感染原因に対して免疫を有するか否かに応じたスケジュール変更を行うことができる。
【０１５１】
また、同じ空間内にいる第２のユーザの所定期間内のスケジュールが、移動を伴うスケジュールの場合であり、更に、第２のユーザが、検出手段で検出された感染原因に対する免疫を有さないユーザであり、且つ、第２のユーザのスケジュールが、第１のユーザと同じ時刻に同じ場所を経由するスケジュールを有する場合には、調整手段は第２のユーザの移動経路を変更するようにスケジュールを調整する感染拡大防止システムである。
【０１５２】
これにより、移動を考慮したスケジュール変更を行うことができる。
【０１５３】
また、調整手段によりスケジュールが調整されると、調整手段によりスケジュールが調整されたことを、第１のユーザ又は第２のユーザに通知する通知手段を有する感染拡大防止システムである。
【０１５４】
これにより、第１、第２のユーザにスケジュール変更の通知を行うことで感染拡大を防止することができる。
【０１５５】
また、調整手段は、スケジュールを調整する際に、ユーザが免疫を有さない感染原因が検出された場所を経由する時刻が、感染原因の検出時刻から所定の期間以降となるよう調整し、所定の期間は、感染原因除去装置によって空間内の感染原因除去に要する期間に応じて変更する期間である感染拡大防止システムである。
【０１５６】
これにより、感染原因の除去時間を考慮してスケジュール変更を行うことができる。
【０１５７】
また、感染原因を検出した感染情報を検出手段で取得するステップと、検出手段により感染原因が検出されると記憶手段に記憶されているユーザのスケジュールデータを調整手段で確認するステップと、検出手段が感染原因を検出してから所定期間を含むスケジュールデータが記憶手段に存在すれば、スケジュールデータを所定期間以降のスケジュールとするように調整手段で調整するステップと、からなる感染防止システムの制御方法である。
【０１５８】
これにより、感染原因の検出により事前に感染リスクを予測しスケジュール変更を行うことで感染拡大を防止することができる。
【０１５９】
（実施の形態２）
図５は、本発明の実施の形態２における感染防止システムの構成の一例を示す図を示すものである。
【０１６０】
図５において、図１と同じ番号の要素は図１と同じであるため同符号を付し詳細な説明は省略する。
【０１６１】
本実施の形態２の感染防止システムは、センシング部１０１、スケジュール取得部１０２、ウイルス情報管理部１０３、スケジュール管理部１０４、感染リスク判定部１０５、スケジュール調整部５０６、入出力(ＵＩ)部１０７から構成される。
【０１６２】
本実施の形態２のスケジュール調整部５０６は、実施の形態１記載のスケジュール調整部１０６に加えて、以下の機能を有する。
【０１６３】
スケジュール調整部５０６の確認手段（図示しない）は、スケジュール管理部１０４が管理するスケジュール情報を参照して、指定された人物の日時、場所、移動経路に関するスケジュール情報を確認する。また、ウイルス情報管理部１０３が管理する免疫情報を参照して、指定された人物の有する免疫情報、及び、ウイルス情報を参照して、所定期間内において、指定された人物のスケジュールに含まれる場所や移動経路と一致する空間におけるウイルス情報、及び、所定期間内において、指定された人物と場所や移動経路が関係するスケジュールデータを有する別の人が保有するウイルス情報とを確認する。
【０１６４】
そして、スケジュール調整部５０６の調整手段（図示しない）は、指定された人物のスケジュールが含む場所や移動経路と一致する空間におけるウイルスが存在し、かつ、感染リスク判定部１０５の判定結果に基づき該当のウイルスに対する免疫を有しない場合には、スケジュールデータが所定期間以降となるように、或いは、別の場所や移動経路を利用するように新たなスケジュールデータをスケジュール管理部１０４に出力する。
【０１６５】
また、スケジュール調整部５０６の調整手段は、指定された人物と関係するスケジュールデータを有する別の人が保有するウイルスが存在し、かつ、感染リスク判定部１０５の判定結果に基づき該当のウイルスに対する免疫を有しない場合には、スケジュールデータが所定期間以降となるように、或いは、別の場所や移動経路を利用するように新たなスケジュールデータをスケジュール管理部１０４に出力する機能を有する。
【０１６６】
ここで、所定の期間は、実施の形態１に記載と同様に、ウイルスを他人に感染させうる期間や他人から感染しうる期間であって、ウイルス情報管理部１０３が管理するウイルスごとの期間情報を参照して該当のウイルス種の潜伏期間、発症期間、回復後の感染させる期間に応じて変更する期間である。
【０１６７】
また、所定の期間は、空気清浄機などに搭載するウイルス除去装置を用いて空間内のウイルスを除去する場合等には、さらに、ウイルス除去に有する期間に応じて変更する期間である。
【０１６８】
ここで、スケジュール調整部５０６の新たなスケジュールデータの作成について、より具体的に説明する。
【０１６９】
（１）ウイルスを検出した現在時刻から所定期間内において、指定された人物のスケジュールデータが存在するか否かを確認する。
【０１７０】
（２）上記（１）でスケジュールデータが存在する場合、そのスケジュールと関係するスケジュールデータを有する別の人が存在するか否か、存在する場合はその別の人が保有
するウイルスに対して指定された人物が免疫を有するか否かを確認する。
【０１７１】
（３）上記（２）で指定された人物が該当のウイルスに対する免疫を有しない場合、指定された人物の現在時刻から所定期間以降のスケジュールデータ、及びインフラ（例えば列車）のスケジュールデータを確認し、指定された人物のスケジュールデータが存在しない、かつ、インフラが利用可能な時間帯に、指定された人物の新たなスケジュールデータを作成する。
【０１７２】
（４）変更する前のスケジュールデータを削除する。
【０１７３】
或いは、移動経路変更の方法として上記（３）は下記の（３ａ）のようにしてもよい。
【０１７４】
（３ａ）上記（２）で指定された人物が該当のウイルスに対する免疫を有しない場合、現在時刻から所定期間内におけるインフラのスケジュールデータを確認し、指定された人物のスケジュールデータと同じ又は重なる時間帯、かつ、ウイルスを有する人物の利用しないインフラが利用可能な時間帯に、指定された人物の新たなスケジュールデータを作成する。
【０１７５】
尚、ここで、スケジュール調整部５０６の調整手段は、新たなスケジュールデータを出力する際に複数の新たなスケジュールデータの候補を出力し利用者に選択させるとしてもよい。
【０１７６】
例えば、移動経路スケジュールデータの場合には、ウイルスに感染するリスクが低い安全な移動経路の候補として複数の移動経路の候補を地図上に出力し利用者に選択させるなどとしてもよい。
【０１７７】
以下に、スケジュール調整部５０６の具体的な処理の一例を実施の形態１の図２及び図３を参照して説明する。
【０１７８】
例えば、図３（ａ）に示すように、ユーザ００３が場所Ｆに行く際に感染しないような移動経路スケジュールを必要とするケースを説明する。
【０１７９】
入出力(ＵＩ)部１０７にてユーザ００３を指定するとスケジュール調整部５０６の確認手段は、ウイルス情報、免疫情報、個人のスケジュール情報を参照して、ユーザ００３のスケジュール情報、免疫情報、及び、移動経路と一致するウイルス情報を確認する。
【０１８０】
確認の結果、図２（ａ）に示すように、２０１５年７月１０日１２時に場所Ｂにてアデノウイルスのウイルスが検出されその空間内にユーザ００２が滞在していたとする。
【０１８１】
図３（ａ）に示すように、ユーザ００２は７時００分〜５０分の列車Ａを利用するスケジュールを有し、かつ、図２（ｃ）に示すように、ユーザ００３がアデノウイルスに対する免疫を有しないため、スケジュール調整部５０６の調整手段は新たな移動経路スケジュールへ変更を行う。
【０１８２】
具体的には、インフラのスケジュール情報（図３（ｂ））を参照し、移動経路を当初の移動経路「列車Ａ、列車Ｂ、自家用車」から新たな移動経路「列車Ｃ、列車Ｂ、自家用車」に変更する。
【０１８３】
このようにして、本実施の形態２は例えば免疫力の低い乳幼児への感染を防ぐ安全な移動経路スケジュールを提示することができる。
【０１８４】
以上の構成を用いて、本実施の形態２は、実施の形態１に加えて更に、免疫情報に基づく自身が感染しうるウイルス検出情報を用いて事前に感染リスクを判定しスケジュール及び経路変更を行うことで、感染者から他人への感染に加えて他人から自身への感染を防ぐことができる。
【０１８５】
図６はその処理の一例を示すフローチャートである。
【０１８６】
入出力（ＵＩ）部１０７に感染リスクの低いスケジュールを出力したい人物が指定されると（ステップＳ６０１）、スケジュール調整部５０６は、指定された人物の日時や場所、移動経路に関するスケジュールデータと免疫情報と所定期間内において、指定された人物のスケジュールに含まれる場所や移動経路と一致する空間におけるウイルス情報、及び、指定された人物と場所や移動経路が関係するスケジュールデータを有する別の人が保有するウイルス情報とを確認する（ステップＳ６０２）。
【０１８７】
確認の結果、所定期間内において、指定された人物のスケジュールに含まれる場所や移動経路と一致する空間におけるウイルス、或いは、指定された人物と場所や移動経路が関係するスケジュールデータを有する別の人が保有するウイルスが存在し（ステップＳ６０３）、かつ、指定された人物が該当のウイルスに対する免疫を有しない（ステップＳ６０４）場合には、スケジュール調整部５０６はスケジュールデータが所定期間以降となるように、又は、別の場所や移動経路を利用するように、新たなスケジュールデータの候補を出力する（ステップＳ６０５）。
【０１８８】
新たなスケジュールデータ候補の方法及び、具体的な例は、スケジュール調整部５０６の構成にて説明した通りである。
【０１８９】
他方、確認の結果、所定期間内において指定された人物のスケジュールに含まれる場所や移動経路と一致する空間におけるウイルス、或いは、指定された人物と場所や移動経路が関係するスケジュールデータを有する別の人が保有するウイルスが存在しない（ステップＳ６０３）、又は、ウイルスが存在しても指定された人物が該当のウイルスに対する免疫を有する（ステップＳ６０４）場合には、スケジュール調整部５０６は新たなスケジュールデータ候補の出力は行なわず処理を終了する（ステップＳ６０６）。
【０１９０】
尚、上記図６に示したフローチャートの処理は一例であって、処理の詳細及びバリエーションは本実施の形態における感染防止システムの構成の説明にて記述したとおりである。
【０１９１】
以上、本実施の形態２により、感染防止システムは、免疫情報に基づく自身が感染しうるウイルス検出情報を用いて事前に感染リスクを判定しスケジュール及び経路変更を行うことで、感染者から他人への感染に加えて、他人から自身への感染を防ぐことができる。
【０１９２】
すなわち、感染原因を検出した感染情報を取得する検出手段（センシング部）と、検出手段により検出された感染原因の検出時刻、検出場所、ユーザの有する免疫、ユーザの存在した場所と期間を含むデータを記憶する記憶手段（ウイルス情報記憶部、免疫情報記憶部、ウイルスごとの期間情報記憶部）と、ユーザが免疫を有さない感染原因が検出された場所を回避するように、ユーザのスケジュールデータを調整する調整手段（スケジュール調整部）と、を有する感染拡大防止システムである。
【０１９３】
これにより、免疫情報に基づいてユーザが感染しうる感染情報を用いて、スケジュール変更を行うことで感染を防ぐことができる。
【０１９４】
さらに、調整手段は、ユーザのスケジュールデータを調整する際に、ユーザが免疫を有さない感染原因が検出された場所に存在した履歴のある他のユーザが記憶手段に記憶されているか否かを判定し、存在する場合には、他のユーザが存在した場所を回避するようにスケジュールデータを調整する感染拡大防止システムである。
【０１９５】
これにより、感染原因の検出された場所に存在したユーザを考慮してスケジュール変更を行うことができる。
【０１９６】
さらに、調整手段は、検出手段により検出した感染原因に応じて、他のユーザが記憶手段に記憶されているか否かを判定するスケジュールデータの期間を異ならせる感染拡大防止システムである。
【０１９７】
これにより、感染原因に応じたスケジュール変更を行うことができる。
【０１９８】
さらに、調整手段は、スケジュールを調整する際に、ユーザが免疫を有さない感染原因が検出された場所を経由する時刻が、感染原因の検出時刻から所定の期間以降となるよう調整し、所定の期間は、感染原因除去装置によって空間内の感染原因除去に要する期間に応じて変更する期間である感染拡大防止システムである。
【０１９９】
これにより、感染原因の除去時間を考慮してスケジュール変更を行うことができる。
【０２００】
また、感染原因を検出した感染情報を検出手段で取得するステップと、検出手段により検出された感染原因の検出時刻、検出場所、ユーザの有する免疫、ユーザの存在した場所と期間を含むデータを記憶手段に記憶するステップと、ユーザが免疫を有さない感染原因が検出された場所を回避するように調整手段でユーザのスケジュールデータを調整するステップと、からなる感染拡大防止システムの制御方法である。
【０２０１】
これにより、免疫情報に基づいてユーザが感染しうる感染情報を用いて、スケジュール変更を行うことで感染を防ぐことができる。
【０２０２】
尚、本実施の形態の感染防止システムは、センサーとコンピュータ（サーバや情報処理装置、携帯端末等）に実行させる制御プログラムで実現してもよい。
【産業上の利用可能性】
【０２０３】
以上のように、本発明にかかる感染防止システム、感染防止システムの制御方法、およびそのプログラムは、ネットワーク接続された機器での感染原因の検出によって事前に感染リスクを予測し感染拡大を防止することできる。家庭や企業、医療施設や公共施設において、ウイルス、寄生虫、細菌、真菌など感染症の病原体に対して有用である。
【符号の説明】
【０２０４】
１０１  センシング部（検出手段）
１０２  スケジュール取得部（調整手段）
１０３  ウイルス情報管理部（調整手段）
１０４  スケジュール管理部（調整手段）
１０５  感染リスク判定部（調整手段）
１０６、５０６  スケジュール調整部（調整手段）
１０７  入出力(ＵＩ)部（通知手段）
１３１  ウイルス情報記憶部（記憶手段）
１３２  免疫情報記憶部（記憶手段）
１３３  ウイルスごとの期間情報記憶部（記憶手段）
１４１  スケジュール情報記憶部（記憶手段）
【図１】
0006589125.tif 000002
【図２】
0006589125.tif 000003
【図３】
0006589125.tif 000004
【図４】
0006589125.tif 000005
【図５】
0006589125.tif 000006
【図６】
0006589125.tif 000007